(57)【要約】【課題】光ディスク装置に装填された光ディスクに対して簡便で効率のよい記録が行えるようにする。【解決手段】再生信号のアシンメトリを検出する手段（６）と、ディスクを識別する手段（４）と、ディスクの識別情報（ＩＤ）と、光ディスクの記録パワー調整用領域で最適に調整された記録パワーでディスク全面に記録した場合の、記録位置の変化に伴うアシンメトリの変化に関する情報（ＡＶ）とを対応付けて記憶したメモリ（１２）とを有する。記録モード中にアシンメトリの変化に関する情報（ＡＶ）によって定められる間隔で記録データのアシンメトリを検出し、検出されたアシンメトリの、アシンメトリ（ＴＡ）の目標値に対する差分が一定値を超えた場合に（Ｓ６）記録パワーの補正（Ｓ７）を行う。【選択図】図１
2007323687.tif 000002
【特許請求の範囲】
【請求項１】
記録パワー調整用領域とデータ領域が別々に設けられた光ディスクに情報を記録再生する光ディスク装置において、
再生信号のアシンメトリを検出する手段と、
ディスクを識別する手段と、
ディスクの識別情報と、前記記録パワー調整用領域で最適に調整された記録パワーでディスク全面に記録した場合の、記録位置の変化に伴うアシンメトリの変化に関する情報とを対応付けて記憶したメモリと
を有することを特徴とする光ディスク装置。
【請求項２】
前記メモリが、前記ディスクの識別情報に対応付けて、アシンメトリの目標値を記憶し、
記録モード中に前記アシンメトリの変化に関する情報によって定められる間隔で記録データのアシンメトリを検出し、検出されたアシンメトリの、前記アシンメトリの目標値に対する差分が一定値を超えた場合に記録パワーの補正を行う手段をさらに有する
ことを特徴とする請求項１に記載の光ディスク装置。
【請求項３】
前記アシンメトリの変化に関する情報が、アシンメトリ検出を行う間隔に対応するセクタ数を表すものであることを特徴とする請求項１の光ディスク装置。
【請求項４】
前記アシンメトリの変化に関する情報が、アシンメトリ検出を行う間隔に対応する径方向位置の差を表すものであることを特徴とする請求項１の光ディスク装置。
【請求項５】
前記アシンメトリの変化に関する情報が、アシンメトリの変化をセクタアドレスの関数として記述する情報であることを特徴とする請求項１の光ディスク装置。
【請求項６】
光ディスク装置内に装填されたディスクの識別を行うステップと、
識別されたディスクの識別情報に対応したアシンメトリの目標値と、記録位置の変化に伴うアシンメトリの変化に関する情報を前記光ディスク装置内のメモリから取得するステップと、
記録モード中に前記アシンメトリの変化に関する情報によって定められる間隔で記録データのアシンメトリを検出するステップと、
検出されたアシンメトリの、前記アシンメトリの目標値に対する差分が一定値を超えた場合に記録パワーの補正を行うステップと
を有する光ディスクの記録方法。
【発明の詳細な説明】
【技術分野】
【０００１】
この発明は、ＤＶＤ（Ｄｉｇｉｔａｌ  Ｖｅｒｓａｔｉｌｅ  Ｄｉｓｋ）レコーダ等、光ディスクに対して情報の記録を行うための光ディスク装置およびその記録方法に係わるもので、特に連続記録時に記録パワーの調整を行う光ディスク装置およびその記録方法に関するものである。
【背景技術】
【０００２】
従来の光ディスク装置においては、連続的にディスクに記録を行う際にバッファに一定の空き容量がある場合は記録品質の確認のため、記録済みデータのアシンメトリやジッターの測定を行いながら、リアルタイムに記録を行う構成となっている。（例えば、特許文献１参照）。
【０００３】
【特許文献１】特開２００６−２４２５２号公報（第１−５項、第１−８図）
【発明の開示】
【発明が解決しようとする課題】
【０００４】
上記のような従来の光ディスク装置では、有限長のバッファを用いる場合、バッファにデータを供給するデータレートＴｗが、バッファからデータを排出して光ディスクに書き込むデータレートＴｒより低いことが前提となる。
【０００５】
例えば、ＤＶＤ規格の映像情報を記録する場合、映像・音声のデータレートは最大で１０．０８Ｍｂｐｓという制限があるのにたいして、ディスクドライブの書き込みデータレートは標準回転速度で１１．０８Ｍｂｐｓであるため、前述の条件Ｔｗ＜Ｔｒを満たしている。
【０００６】
一方、近年映像情報を一時的にハードディスクへ記録し、ハードディスクからＤＶＤディスクへダビングする用途をも想定したハードディスク搭載型ＤＶＤレコーダが市場投入されているが、ハードディスクからＤＶＤディスクへのダビング記録の場合、ハードディスクが数百Ｍｂｐｓのデータレートを持つため、Ｔｗ＞Ｔｒとなり、アシンメトリやジッターの測定に要する時間のために実効的な光ディスクへの記録データレートが下がるという問題があった。
【０００７】
この発明は、上記のような問題を軽減するためになされたもので、装填された光ディスクに対して簡便で効率のよい記録が行えるようにした光ディスク装置およびその記録方法を得ることを目的としている。
【課題を解決するための手段】
【０００８】
この発明は、
記録パワー調整用領域とデータ領域が別々に設けられた光ディスクに情報を記録再生する光ディスク装置において、
再生信号のアシンメトリを検出する手段と、
ディスクを識別する手段と、
ディスクの識別情報と、前記記録パワー調整用領域で最適に調整された記録パワーでディスク全面に記録した場合の、記録位置の変化に伴うアシンメトリの変化に関する情報とを対応付けて記憶したメモリと
を有することを特徴とする光ディスク装置を提供する。
【発明の効果】
【０００９】
この発明によれば、装填された光ディスクに対してアシンメトリ変化に関する情報にしたがってアシンメトリ検出を行うため、簡便で効率のよい記録を行うことができる。
【発明を実施するための最良の形態】
【００１０】
実施の形態１．
以下、この発明の実施の形態を、図面を参照して説明する。
図１はこの発明の実施の形態１である光ディスク装置を示すものである。図中、ホストＩ／Ｆコントローラ１は、図示されない上位ホスト（以下、上位ホストと記す）とのインターフェース制御を司り、記録再生のコマンド解釈を行い、データの送受を行う。例えば、ホストＩ／Ｆコントローラ１は、ＡＴＡＰＩ（ＡＴ  Ａｔｔａｃｈｍｅｎｔ  Ｐａｃｋｅｔ  Ｉｎｔｅｒｆａｃｅ）コントローラと呼ばれるものを含む。
【００１１】
バッファメモリコントローラ２は、記録再生用データを一時保存するバッファメモリ３の蓄積データ量管理を行い、ホストＩ／Ｆコントローラ１、変復調回路５とのデータ転送制御を行う。
【００１２】
変復調回路５は、バッファメモリコントローラ２から転送されたデータから光ディスク１１のフォーマットに対応した誤り訂正符号の生成付加を行い、誤り訂正符号が付加されたデータを所定の変調方式で変調する。
【００１３】
一方、光ヘッド１０を介して再生された光ディスク１１からの再生信号は、プリアンプ回路１４で増幅され、イコライザー７でアナログからディジタルに２値化される。変復調回路５は、イコライザー７からの２値化信号を復調して誤り訂正を行い、バッファメモリコントローラ２へ転送する。
【００１４】
レーザ波形制御回路８は、記録パルスストラテジ情報に基づいて、変復調回路５からの変調データに対応した、記録のための波形を生成し、この波形でレーザ駆動回路１３を制御する。
【００１５】
図２は、光ディスク１１が色素系記録媒体である場合に、レーザ波形制御回路８で生成される記録パルスストラテジの例を示したものである。図２（ａ）に、周期Ｔを有するチャネルクロックを示す。図２（ｂ）に、マークとスペースとからなる記録データを示す。図２（ｃ）に、図２（ｂ）の記録データを記録するための記録パルスストラテジ、即ち発光パルスパターンを示す。発光パルスパターンは、記録パワーレベルと再生パワーレベルとの間でレベルが変化し、記録パワーレベルにある期間が各パルスの幅と定義される。
【００１６】
光ディスク１１に最短マークを形成乃至記録するための発光パルスパターンは３Ｔに対応する長さを有し、最長マークを形成乃至記録するための発光パルスパターンは１４Ｔに対応する長さを有する。図２（ｂ）及び、図２（ｃ）は、最短マークを記録し、次に４番目に短いマークを記録する場合を想定している。図２（ｃ）の左側に示すように、記録データが最短マークの場合のライトストラテジは、符号１ＴＦで表されるパルス幅を有する先頭パルスＦのみからなる。図２（ｃ）の右側に示すように、記録データが４番目に短いマークを記録する場合のライトストラテジは、符号ＬＴＦで表されるパルス幅を有する先頭パルスＦとそれに続く３個のマルチパルスＭ（符号ＴＭで表されるパルス幅を有する）からなる。
【００１７】
レーザ駆動回路１３は、レーザ波形制御回路８からの発光パルスパターンである記録データをサーボ回路９で位置決めされた光ヘッド１０へ転送し、光ヘッド１０内のレーザダイオードを駆動する。
【００１８】
プリアンプ回路１４は、サーボ回路９で位置決めされた光ヘッド１０からの再生信号を増幅してイコライザー７に供給するとともに、光ヘッド１０のトラッキングエラー信号やフォーカシングエラー信号をサーボ回路９へ供給する。
【００１９】
アシンメトリ検出回路６は、プリアンプ回路１４で増幅された光ディスク１１からの再生信号の最短マーク長と最長マーク長の振幅中央ずれ量（アシンメトリ値）を検出する。システムコントローラ４は、アシンメトリ検出回路６で検出されたアシンメトリ値が、ディスクパラメータメモリ１２からのディスク毎に設定されたアシンメトリの目標値（ターゲットアシンメトリ）に一致するように、記録パワーの調整を行い、調整された記録パワーを最適記録パワーとして、その後の記録に用いる。
【００２０】
以下、アシンメトリ検出回路６の動作をより詳しく説明する。
アシンメトリ検出回路６では、プリアンプ回路１４で増幅された光ディスク１１からの再生信号をＡＣ（交流）カップリングし、ＡＣカップリングされた電気信号のピークレベルＡ１とボトムレベルＡ２を検出する。検出したピークレベルＡ１とボトムレベルＡ２から、以下の式（１）を用いて、アシンメトリ値βを算出する。
β＝（Ａ１＋Ａ２）／（Ａ１−Ａ２）      …（１）
ここで、ピークレベルＡ１、ボトムレベルＡ２は、最長スペースと最長マークが交互に現れる部分で発生するものであり、それらの値は、最短スペースと最短マークが交互に現れる部分のピークレベルとボトムレベルの平均値をゼロレベルとして表される。
【００２１】
図３（ａ）〜（ｃ）は、アシンメトリ検出回路６において、検出される再生信号のアシンメトリの検出例を示したものである。図３（ａ）にβ＜０の場合を示す。図３（ｂ）にβ＝０の場合を示す。図３（ｃ）にβ＞０の場合を示す。
【００２２】
システムコントローラ４は、ホストＩ／Ｆコントローラ１、バッファメモリコントローラ２、変復調回路５、アシンメトリ検出回路６、イコライザー７、レーザ波形制御回路８、サーボ回路９、光ヘッド１０、プリアンプ回路１４、レーザ駆動回路１３を制御するともに、一連の記録再生シーケンス動作を制御する。また、後述のように、記録パワー調整の制御や、アシンメトリの検出のタイミングの制御を行う。
【００２３】
図４は、ディスクパラメータメモリ１２に関する説明図である。ディスクパラメータメモリ１２は、図４に示すように、複数のディスクに関するディスク識別情報ＩＤ１〜ＩＤＮと、記録パルスストラテジ情報ＰＳ１〜ＰＳＮと、記録位置の変化に伴うアシンメトリの変化に関する情報ＡＶ１〜ＡＶＮと、ターゲットアシンメトリ値ＴＡ１〜ＴＡＮとを対応付けて、それぞれの欄１２ａ〜１２ｄに記憶したテーブルを格納している。
【００２４】
ディスク面内のアシンメトリ変化に関する情報ＡＶ１〜ＡＶＮの各々は、例えばディスク全面を記録する場合に、アシンメトリ値の検出乃至確認を行うべき間隔に対応するセクタ長を表す情報であり、記録位置の変化に伴うアシンメトリ値の変化が大きいほど、セクタ長（アシンメトリ検出間隔）は短い値に設定される。
【００２５】
光ディスクは記録速度の上限値やディスク製造メーカーにより、その組成が異なり、光ディスク装置で記録される光ディスクが交換されたら、記録パルスストラテジなどの記録パラメータの変更を行う必要がある。ディスク識別情報は光ディスク装置に装填されたディスクを識別する情報であり、例えば、記録型ＤＶＤディスクのＬＰＰ（ランドプリピット：Ｌａｎｄ  Ｐｒｅ−Ｐｉｔ）およびコントロールトラックに記録されている情報である。
【００２６】
光ディスク装置は、光ディスクへの記録に先立ち、光ディスクからディスク識別情報の読取りを行う。この読取りは、システムコントローラ４が、サーボ回路９、レーザ駆動回路１３を制御し、光ヘッド１０から読み出された信号を、プリアンプ回路１４、イコライザー７、変復調回路５を通すことにより得られたデータをシステムコントローラ４内で解読することにより行われる。
【００２７】
光ディスクからディスク識別情報ＩＤｄが読取られると、システムコントローラ４は、ディスクパラメータメモリ１２のディスク識別情報ＩＤ１〜ＩＤＮを格納した欄１２ａをサーチし、読取られたディスク識別情報ＩＤｄに合致するディスク識別情報ＩＤｉを見つけたら、それに対応する、記録のための記録パルスストラテジ情報ＰＳｉ、アシンメトリの変化に関する情報ＡＶｉ、及びターゲットシンメトリ値ＴＡｉを読み出す。読み出された情報ＰＳｉ、ＡＶｉ、ＴＡｉは記録パラメータとしてシステムコントローラ４内のメモリ４０に設定され、それ以後データ領域ＵＤＡへの記録の際に用いられる。
【００２８】
図５（ａ）及び（ｂ）は、ＤＶＤディスク２種について同一光ディスク装置でデータ領域ＵＤＡ全面（最内周ほぼ３００００ｈ（「ｈ」は１６進数であることを示す）で表されるアドレスから最外周ほぼ２５００００ｈで表されるアドレスまで）記録した場合のアシンメトリ値の変化を示したものである。横軸は２０４８バイト単位の物理セクタアドレスであり、縦軸はアシンメトリ値を示している。
【００２９】
記録にあたっては、記録開始時に図６に示されるようにディスク最内周に配置された記録パワー調整領域ＰＣＡ（Ｐｏｗｅｒ  Ｃａｌｉｂｒａｔｉｏｎ  Ａｒｅａ）で、アシンメトリがディスク固有のターゲットアシンメトリ（メモリ１２から読み出された値ＴＡｉ）となるように記録パワーが調整され、その後データ領域ＤＡにおいて、上記調整された記録パワーを用いて記録が行われる。
【００３０】
一般に、アシンメトリ値はディスク毎に違うのみならず、記録位置（径方向位置）の変化に伴って変化する。例えば、図５（ａ）と図５（ｂ）で示されるように、ディスクによりアシンメトリ値が異なるのみならず、記録開始時のアシンメトリ値と記録終了時のアシンメトリ値の差も異なっている。例えば、図５（ａ）では差分が約０．０５であり、図５（ｂ）では差分が約０．０１である。仮にディスク全体を通じて同じアシンメトリ値で記録を行った場合には、差分が大きい程、ディスク固有のターゲットアシンメトリからのずれが大きく、記録特性の劣化が大きい。図５（ａ）の場合では、ジッター値の劣化が２％という実験データが得られている。
【００３１】
したがって、図５（ａ）で用いたディスクでは、記録位置の変化に伴うアシンメトリの変化が大きいので、記録中のアシンメトリ検出乃至確認を図５（ｂ）で用いたディスクより小さな間隔で実施する必要がある。このアシンメトリ検出を行うべき間隔が、アシンメトリの変化に関する情報として用いられる。
【００３２】
図７は、システムコントローラ４で制御を行う光ディスク装置による記録方法を示すものである。例えば、ハードディスク搭載型ＤＶＤレコーダにおいて、ユーザの操作により、ハードディスク内のファイルをＤＶＤディスクへダビングするような場合を想定している。
【００３３】
光ディスクが装填されると、プリアンプ回路１４、イコライザー７、変復調回路５を介して入力されたデータに基づき、システムコントローラ４が、装填された光ディスクのディスク識別情報ＩＤｄを読み取り（Ｓ１１）、ディスクパラメータメモリ１２内の、読取られたディスク識別情報ＩＤｄに合致するディスクパラメータ、即ち、ディスク識別情報ＩＤｉに対応する記録パルスストラテジ情報ＰＳｉ、アシンメトリの変化に関する情報ＡＶｉ、およびターゲットアシンメトリＴＡｉを読取り（Ｓ１２）、予め記録パラメータとして、図８に示される、システムコントローラ４内のメモリ４０の領域４１、４２、４３に設定する。
そして、領域４２に書き込まれたアシンメトリ変化に関する情報ＡＶｉを、次のアシンメトリ検出までの距離（以下、単に「残セクタ数」と言うことがある）ＲＳを格納する領域４４にも書き込む。領域４４は、記録を行う毎に更新されるものであり、残セクタ数のカウンタとしての機能を有する。
【００３４】
また、光ディスク装置は、システムコントローラ４による制御の下で、データ領域ＵＤＡへの記録開始前に記録パワーの調整をＰＣＡ領域で実施する（Ｓ１３）。
【００３５】
その後、システムコントローラ４は、上位ホストより記録コマンドの発行を待ち（Ｓ２１）、記録コマンドの受信を行い、記録開始アドレスと記録長を得て（ステップＳ２１の判断のＹＥＳ）、記録を実行する（Ｓ２２）。
【００３６】
記録実行後にシステムコントローラ４は、メモリ４０の領域４４に記憶されている残セクタ数ＲＳを値から、記録を行った記録長に対応する数値(セクタ数)を差し引くことにより、残セクタ数ＲＳの更新を行う（Ｓ２３）。例えば、例えば、１００００ｈセクタ毎の記録でアシンメトリの検出を実施して記録状態を確認するように設定されている場合（ＡＶｉが１００００ｈである場合）には、最初に（ステップＳ１２で）、残セクタ数ＲＳとして、メモリ４４に１００００ｈが設定される。上位ホストからの記録コマンドで記録長１００ｈの記録が実行されると、
１００００ｈ−１００ｈ＝ＦＦ００ｈ
の減算によりえられる値が、新たな(更新後の)残セクタ数ＲＳとして、メモリ４０の領域４４に書き込まれる。
【００３７】
ステップＳ２３における更新の後、ステップＳ２４に進み、残セクタ数ＲＳが正の値かどうかの判定が行われ、正の値である場合（ステップＳ２４の判断の結果がＮＯ）は、ステップＳ２１に戻り、次の記録コマンドが受信されると、次の記録が行われる。ステップＳ２４における判定の結果がＹＥＳのときは（残セクタ数ＲＳが正でない場合には）、記録済み領域のアシンメトリの検出を実施する（Ｓ２５）。
【００３８】
そして、検出されたアシンメトリ値とターゲットアシンメトリ値（ＴＡｉ）との差分（ΔＡｉ）が所定値以下かどうかの判定を行い（Ｓ２６），所定値以下である場合（ステップＳ２６における判定の結果がＮＯ）、ステップＳ２１に戻り、次の記録コマンドが受信されると、次の記録が行われる。
ステップＳ２６における判定の結果がＹＥＳのときは（検出されたアシンメトリ値とターゲットアシンメトリ値との差分（ΔＡｉ）が所定値を超えた場合には）、記録パワーの調整（補正）を実施する（Ｓ２７）。
【００３９】
記録パワーの調整については、ディスク毎に記録パワーとアシンメトリの関係についての情報がディスクパラメータメモリ１２に格納されており、この情報を用いて記録パワーの調整が行われる。
【００４０】
記録パワーの調整が実施された場合には、メモリ４０の領域４４の、残セクタ数ＲＳを表すデータが初期化される。即ち、領域４２に記録されているアシンメトリの変化に関する情報ＡＶｉが、領域４４に転写される（Ｓ２８）。その後、ステップＳ２１に戻り、次の記録に備える。
【００４１】
以上の様に本実施の形態においては、装填された光ディスクに対してアシンメトリ変化に関する情報にしたがってアシンメトリ検出を行う。このため、簡便で効率のよい記録を行うことができる。
【００４２】
即ち、図１の光ディスク装置では、記録パワー調整用領域で最適に調整された記録パワーでディスクの全面を記録した場合の、記録位置の変化に伴うアシンメトリの変化に関する情報として、アシンメトリ検出の間隔に対応したセクタ数が記憶されており、またアシンメントリ検出の間隔がディスク識別情報毎に最適化されているため、アシンメトリ検出をディスクに応じて最適の間隔で行うことができ、アシンメトリ検出による記録の実効的なデータレートの低下が抑えられる。
【００４３】
実施の形態２．
上記実施の形態においては、ディスクパラメータメモリ１２のアシンメトリ変化に関する情報として、アシンメトリ検出の間隔をセクタ数で記述しているが、代わりに径方向位置の差、すなわち径方向の間隔（距離「ｍｍ」で表される）で記述してもよい。
この場合、例えば径方向位置の変化が所定値に達する毎にアシンメトリ値の検出を行う。
【００４４】
実施の形態３．
また、ディスクパラメータメモリ１２のアシンメトリ変化に関する情報として図５（ａ）及び（ｂ）のアドレスとアシンメトリの関係を記述する式、例えば一次の関数を表す情報、該情報に基づいてアシンメトリ検出の間隔を定めるようにしても良い。例えば、一次の関数を表す定数うちの、傾きを表す情報を記憶しておき、該傾きに対応する間隔毎にアシンメトリの測定を行うこととしても良い。
【図面の簡単な説明】
【００４５】
【図１】この発明の実施の形態１における光ディスク装置を示すブロック図である。
【図２】この発明の実施の形態１における光ディスク装置において、光ディスクが色素系媒体である場合に生成する記録パルスストラテジの例を示した図である。
【図３】この発明の実施の形態１におけるアシンメトリ検出回路において、検出される再生信号のアシンメトリの例を示した図である。
【図４】この発明の実施の形態１におけるディスクパラメータメモリにおける、格納パラメータを示した図である。
【図５】（ａ）及び（ｂ）は、この発明の実施の形態１における光ディスク装置において、光ディスク全面記録におけるアシンメトリ値を示した図である。
【図６】光ディスク上の記録領域の配置を示す図である。
【図７】この発明の実施の形態１における光ディスク装置の記録方法を示したフローチャートである。
【図８】図１のシステムコントローラ４内のメモリ４０の記憶領域を示す図である。
【符号の説明】
【００４６】
１  ホストＩ／Ｆコントローラ、  ２  バッファメモリコントローラ、  ３  バッファメモリ、  ４  システムコントローラ、  ５  変復調回路、  ６  アシンメトリ検出回路、  ７  イコライザー、  ８  レーザ波形制御回路、  ９  サーボ回路、  １０  光ヘッド１０、  １１  光ディスク１１、  １２  ディスクパラメータメモリ、  １３  レーザ駆動回路、  １４  プリアンプ回路。
【図１】
2007323687.tif 000003
【図２】
2007323687.tif 000004
【図３】
2007323687.tif 000005
【図４】
2007323687.tif 000006
【図５】
2007323687.tif 000007
【図６】
2007323687.tif 000008
【図７】
2007323687.tif 000009
【図８】
2007323687.tif 000010